(57)【要約】【課題】従来よりも使い勝手を良くし、また暖房用以外の他の用途にも使用できるようにして付加価値を高めた湯たんぽを提供する。【解決手段】湯たんぽ本体２の上面部２ａに左右一対ずつ足置き用の凹部４および指圧用の突起部５を形成している。この場合、さらに湯たんぽ本体２の下面部２ｂの一部は上向きに延出して支持部１２を構成し、この支持部１２によって突起部５をその内側から支持する構成とすることができる。【選択図】    図１
2005013355.tif 000002
【特許請求の範囲】
【請求項１】
湯たんぽ本体の上面部に足置き用の凹部および指圧用の突起部を設けていることを特徴とする湯たんぽ。
【請求項２】
前記湯たんぽ本体の下面部の一部が上向きに延出されて前記突起部の内面側に近接対向する支持部が形成されてなることを特徴とする請求項１または請求項２に記載の湯たんぽ。
【発明の詳細な説明】
【０００１】
【発明の属する技術分野】
本発明は、湯たんぽに関する。
【０００２】
【従来の技術】
一般に、湯たんぽは、冬季における就寝時等の暖房用として使用されている。この湯たんぽは、金属製やプラスチック製の密閉容器を有し、この容器の上部に設けられた注湯口は開閉自在なキャップを用いて閉塞されるようになっている。そして、注湯口から容器内部に湯を注いでキャップを閉じることで、長時間にわたって暖房作用を発揮する。
【０００３】
【発明が解決しようとする課題】
ところで、従来の湯たんぽは、寝床等で安定して載置されるように側面視で略長楕円型をした形状となるように成形されている。そのため、例えば、湯たんぽを床面上に載置した状態で使用者が椅子に座った姿勢で足元を温めたいような場合には、使用者の足の置き場所が不安定で使い勝手が悪くなる。
【０００４】
また、通常、湯たんぽの使用時期は冬季に限定され易く、冬季以外の季節には収納されてしまうことが多い。そのため、使用頻度が少なくて有効利用されていないのが現状である。
【０００５】
本発明は、このような課題を解決するためになされたもので、従来よりも使い勝手を良くし、また暖房用以外の他の用途にも使用できるようにして付加価値を高めた湯たんぽを提供することを目的とする。
【０００６】
【課題を解決するための手段】
本発明は、上記の課題を解決するために、次の構成を採用している。
すなわち、請求項１記載の発明に係る湯たんぽは、湯たんぽ本体の上面部に足置き用の凹部および指圧用の突起部を設けていることを特徴としている。
【０００７】
このような構成であれば、椅子に座った姿勢であっても足元の置き場所が安定し、使い勝手が良くなる。また、湯たんぽに湯を注入しなくても、突起部を指圧用として利用できるため、健康器具の一種として活用でき、付加価値が高まる。
【０００８】
請求項２記載の湯たんぽは、請求項１記載の発明の構成において、前記湯たんぽ本体の下面部の一部が上向きに延出されて前記突起部の内面側に近接対向する支持部が形成されてなる。
【０００９】
このような構成の場合には、湯たんぽ本体の上面板の指圧用突起部に使用者の体重が大きく加わって突起部が内側に弾性変形しても該突起部の内面側には支持部が近接対向しているため、この支持部に当接支持されて突起部および湯たんぽ本体が不意に変形するといったことが防止される。
【００１０】
【発明の実施の形態】
［実施の形態１］
図１は本発明の実施の形態における湯たんぽの外形を示す上面図、図２はその長辺側側面図、図３はその短辺側側面図、図４はその下面図である。また、図５は図１中のＷ−Ｗ線に沿う長辺側断面図、図６は図１中のＸ−Ｘ線に沿う短辺側断面図、図７は図１中のＹ−Ｙ線に沿う短辺側断面図である。
【００１１】
この実施の形態１における湯たんぽ１は、図１〜図７に示すように、内部に熱い湯が注入される金属製やプラスチック製、具体的には、アルミニウム合金やポリエチレン等を用いて作製された密閉容器である湯たんぽ本体２を備えている。そして、所定厚みを有する湯たんぽ本体２の上面部２ａの一方端には注湯口３が設けられ、この注湯口３には図示しないキャップが螺合されるようになっている。
【００１２】
また、湯たんぽ本体２の上面部たる上面板２ａには、足置き用の凹部４と指圧用の突起部５とが左右一対ずつ設けられている。この場合、足置き用の凹部４は足裏の大きさに適合するように中央が平坦面に形成されている。また、指圧用の突起部は、半球状のもので、使用者に苦痛を感じさせない程度の大きさに形成されている。そして、この実施の形態１では、一対の突起部５は、湯たんぽ本体２の中央位置寄りに、凹部は突起部５の外側位置にそれぞれ配置されているが、これに限らず、凹部４および突起部５を設ける位置は必要に応じて任意に選択することができる。
【００１３】
ここで、湯が注入された湯たんぽ１を床面上に載置して、使用者が椅子に座ったり寝た姿勢で足元を温めたい場合、例えば図１および図６Ａ，Ｂ中に仮想線で示すように、湯たんぽ本体２の凹部４の各々に足７の踵を載せれば、冬季等における足元の暖房用として湯たんぽ１を活用することが可能になる。
【００１４】
さらに、図５および図７中に仮想線で示すように、床面上に載置した湯たんぽ１の突起部５に身体の背中８や足７の裏を押し当てるようにすれば、季節を問わず、背中８や足７の裏のツボを刺激することができるので、マッサージ効果を得ることができる。なお、このような使用状態下では、湯たんぽ本体２内に湯を注入しておいてもよいが、湯を注入していなくても差し支えない。
【００１５】
［実施の形態２］
図８はこの実施の形態２における湯たんぽの外形を示す上面図、図９は図８中のＺ−Ｚ線に沿う長辺側断面図、図１０は同湯たんぽの外形を示す下面図であり、実施の形態１と対応する構成部分には、同一の符号を付す。
【００１６】
この実施の形態２における湯たんぽ１１は、湯たんぽ本体２の下面部たる下面板２ｂの一部を上向きに延出して支持部１２を構成し、この支持部１２は突起部５の内面側に若干の隙間を設けて近接対向する構造としている。
【００１７】
この構成においては、この突起部５を介して湯たんぽ本体２に使用者の大きな体重が加わって突起部５が内側に弾性変形しても該突起部５の内面側には支持部１２の頂部１２ａが近接対向しているため、この支持部１２の頂部１２ａに突起部５の内面５ａが当接支持されて突起部５および湯たんぽ本体２が不意に変形するといったことが防止される。
【００１８】
さらに、実施の形態２における湯たんぽ１１は、湯たんぽ本体２の下面部たる下面板２ｂを屈曲させて凹凸状の補強用リブ１３を設けている。このような補強用リブ１３を設けた場合には、湯たんぽ本体２の強度が増すため、より一層変形が起こり難くなるため好ましい。
【００１９】
その他の構成、および作用効果は、実施の形態１の場合と同様であるから、ここでは詳しい説明は省略する。
【００２０】
【発明の効果】
本発明によれば、次の効果を奏する。
請求項１記載の発明に係る湯たんぽは、湯たんぽ本体の上面部に足置き用の凹部および指圧用の突起部を設けているので、椅子に座った姿勢であっても足元の置き場所が安定し、使い勝手が良くなる。また、湯たんぽに湯を注入しなくても、突起部を指圧用として利用できるため、健康器具の一種として活用でき、付加価値を一層高めることができる。
【００２１】
請求項２記載の発明に係る湯たんぽは、請求項１記載の効果に加えて、湯たんぽ本体の下面部の一部から上向きに延出されて前記突起部の内面側に近接対向する支持部が形成されるため、湯たんぽの使用中に、使用者の大きな体重が突起部に加わって該突起部が内側に若干弾性変形しても、該突起部は、その内面側の支持部に当接支持され、突起部および湯たんぽ本体が不意に変形するといったことが防止される。
【図面の簡単な説明】
【図１】本発明の実施の形態１における湯たんぽの外形を示す上面図である。
【図２】同湯たんぽの長辺側側面図である。
【図３】同湯たんぽの短辺側側面図である。
【図４】同湯たんぽの下面図である。
【図５】図１中のＷ−Ｗ線に沿う長辺側断面図である。
【図６】図１中のＸ−Ｘ線に沿う短辺側断面図である。
【図７】図１中のＹ−Ｙ線に沿う短辺側断面図である。
【図８】本発明の実施の形態２の湯たんぽの外形を示す上面図である。
【図９】図８中のＺ−Ｚ線に沿う長辺側断面図である。
【図１０】図８の湯たんぽの外形を示す下面図である。
【符号の説明】
１    湯たんぽ
２    湯たんぽ本体
２ａ  上面部
２ｂ  下面部
４    凹部
５    突起部
１１    湯たんぽ
１２    支持部
【図１】
2005013355.tif 000003
【図２】
2005013355.tif 000004
【図３】
2005013355.tif 000005
【図４】
2005013355.tif 000006
【図５】
2005013355.tif 000007
【図６】
2005013355.tif 000008
【図７】
2005013355.tif 000009
【図８】
2005013355.tif 000010
【図９】
2005013355.tif 000011
【図１０】
2005013355.tif 000012